(57)【要約】【課題】チャプタの内容が分かりやすい状態で、ユーザーがプログラム選択を実行できるようにする。【解決手段】ＤＶＤ−Ｖｉｄｅｏのチャプタメニュー表示中に、ユーザーの操作に基づいてプログラム指定があった場合に、プログラムモードを起動する。プログラムモード中にチャプタメニュー上のチャプタを選択することで、選択されたチャプタをプログラム情報としてメモリに格納してプログラムリストを作成する。そして、プログラム再生開始の操作に基づいて、プログラムリストからチャプタを順番に再生するように制御する。【選択図】図２
2007109308.tif 000002
【特許請求の範囲】
【請求項１】
コンテンツが記録された記録媒体を再生可能なコンテンツ再生装置を用いたコンテンツ記録媒体制御方法であって、
前記記録媒体に記録されたチャプタメニューの表示中に、所定のチャプタを示す識別情報をリスト化したプログラムリストを作成するためのプログラム機能を起動する手順を備えたことを特徴とするコンテンツ記録媒体制御方法。
【請求項２】
請求項１に記載されたコンテンツ記録媒体制御方法において、
前記コンテンツの再生中に入力されたボタンコマンドの内容を解析する手順と、
前記解析されたボタンコマンドがチャプタメニュー表示コマンドであった場合にのみ、前記プログラム機能を起動可能な状態にする手順とをさらに備えたことを特徴とするコンテンツ記録媒体制御方法。
【請求項３】
請求項１に記載されたコンテンツ記録媒体制御方法において、
前記チャプタメニュー上に表示された複数のチャプタのうち１つを選択することで、該選択されたチャプタを示す識別情報を前記プログラムリストに格納する手順をさらに備えたことを特徴とするコンテンツ記録媒体制御方法。
【請求項４】
請求項１に記載されたコンテンツ記録媒体制御方法において、
前記プログラム機能の起動中に入力されたボタンコマンドの内容を解析する手順と、
前記解析されたボタンコマンドが、前記チャプタメニュー上のチャプタではない場合に、該ボタンコマンドで指示された制御処理をそのまま実行する手順とをさらに備えたことを特徴とするコンテンツ記録媒体制御方法。
【請求項５】
請求項１に記載されたコンテンツ記録媒体制御方法において、
前記プログラム機能によるプログラムリストの作成完了後、ユーザーの操作に基づいてプログラム実行指示がなされた場合に、該プログラムリストに基づいてチャプタを順次再生する手順をさらに備えたことを特徴とするコンテンツ記録媒体制御方法。
【請求項６】
請求項５に記載されたコンテンツ記録媒体制御方法において、
前記プログラムリスト内の全チャプタの再生が終了した後、前記チャプタメニューの表示画面に戻る手順をさらに備えたことを特徴とするコンテンツ記録媒体制御方法。
【請求項７】
請求項１に記載されたコンテンツ記録媒体制御方法において、
前記チャプタメニューの表示中であってプログラム機能の起動時に、所定のチャプタが選択中であることを示すハイライトの色情報を変更する手順と、
前記チャプタメニュー上において選択されたチャプタのサブピクチャの背景色情報を変更する手順とをさらに備えたことを特徴とするコンテンツ記録媒体制御方法。
【請求項８】
請求項１乃至７のうち何れか１項に記載されたコンテンツ記録媒体制御方法において、
前記記録媒体は、ＤＶＤ−Ｖｉｄｅｏフォーマットでコンテンツが記録された光ディスクであることを特徴とするコンテンツ記録媒体制御方法。
【発明の詳細な説明】
【技術分野】
【０００１】
本発明は、ＤＶＤ−Ｖｉｄｅｏ等のコンテンツ記録媒体に記録されたチャプタをプログラム再生する際におけるコンテンツ記録媒体制御方法に関するものである。
【背景技術】
【０００２】
従来より、ＤＶＤ−Ｖｉｄｅｏ等のコンテンツ記録媒体をＤＶＤプレイヤ等の光ディスク再生装置で再生する際に、記録媒体に記録されている複数のコンテンツのタイトルやチャプターのうち、ユーザーが再生を希望するものを選択してリスト化し、そのリスト順に再生していくプログラム機能が知られている。
【０００３】
図１は、従来の光ディスク再生装置の構造を示すブロック図である。図１において、１２は光ディスク１１から管理情報及びデータを読み取るためのデータ読み取り装置であり、読み込まれた管理情報が管理情報記憶装置１３に出力され、読み込まれたデータがデータ復号装置１５に出力される。
【０００４】
前記管理情報記憶装置１３に記憶された前記管理情報は、制御装置１６により読み出され、制御装置１６において管理情報が解析される。
【０００５】
前記制御装置１６は、解析したデータに基づいて前記データ読み取り装置１２を制御し、読み取るべきデータを指定する。
【０００６】
前記データ復号装置１５は、データ分別機能を有しており、光ディスク１１から読み出されたデータは画像データと音声データとに分別される。分別されたデータは、データ格納装置１４に出力され、それぞれ画像データ格納領域と音声データ格納領域とに格納される。
【０００７】
また、前記データ復号装置１５は、データ復号機能を有しており、前記データ格納装置１４の画像データ格納領域に格納された画像データを取り出して、モニタ表示するためのデータに変換すべく画像データ復号処理を行い、復号後のデータをモニタ出力する。
【０００８】
さらに、前記データ格納装置１４の音声データ格納領域に格納された音声データを取り出して、スピーカ出力するためのデータに変換すべく音声データ復号処理を行い、復号後のデータをスピーカ出力する。
【０００９】
このような画像データ及び音声データの復号処理を並列して行うことでコンテンツの再生を実現している。
【００１０】
以下、プログラム再生機能について説明する。図４は、従来のチャプタプログラムメニューの表示例を示す図である。停止状態におけるプログラム機能では、まず、プログラム選択可能なチャプタ番号表示枠４１にあらかじめ再生装置に保持しておいたメディアのタイトルやチャプタ番号を表示して、表示された中からプログラム再生させるタイトル、チャプタ番号をユーザーに選択させ、プログラム選択されたリストをリスト表示枠４２に表示させて、このリスト順に再生を行っていた。
【特許文献１】特開２００２−１５２６６５号公報
【発明の開示】
【発明が解決しようとする課題】
【００１１】
しかしながら、プログラム選択する際に表示できるデータは、光ディスクから読み取った管理情報に含まれるタイトルやチャプタ番号のみであるため、ユーザーにとって使い勝手が悪いものであった。具体的には、選択したタイトルやチャプタがどのような内容であるのかは分かりづらく、意図しないものが再生されてしまうことがあった。そのため、チャプタの情報が分かるような情報の表示が望まれていた。
【００１２】
本発明は、かかる点に鑑みてなされたものであり、その目的とするところは、チャプタの内容が分かりやすい状態で、ユーザーがプログラム選択を実行できるようにすることにある。
【課題を解決するための手段】
【００１３】
すなわち、本発明は、コンテンツが記録された記録媒体を再生可能なコンテンツ再生装置を用いたコンテンツ記録媒体制御方法であって、
前記記録媒体に記録されたチャプタメニューの表示中に、所定のチャプタを示す識別情報（例えば、チャプタ番号等）をリスト化したプログラムリストを作成するためのプログラム機能を起動する手順と、
前記チャプタメニュー上に表示された複数のチャプタのうち１つを選択することで、該選択されたチャプタの識別情報を前記プログラムリストに登録する手順とを備えたことを特徴とするものである。
【発明の効果】
【００１４】
以上のように、本発明によれば、ＤＶＤ−Ｖｉｄｅｏディスクのチャプタメニュー表示中にプログラム機能を起動させることで、ユーザーは自分が順番にプログラム再生させたいチャプタを選択する際に、チャプタの内容が分かりやすい状態でチャプタ選択をすることができ、利便性が向上する。
【００１５】
例えば、ＤＶＤ−Ｖｉｄｅｏメディアによっては、チャプタメニュー上にサブピクチャ情報を表示し、チャプタの再生画像を見せることでユーザーにチャプタの内容が分かり易い状態でチャプタ選択をさせることができるようになっている。この場合、メニュー中にプログラム選択をできるようにすれば、チャプタの最初の画像データをサムネイル表示した場合と同様の機能をユーザーに提供することが可能となる。
【００１６】
また、チャプタメニュー中にサブピクチャ表示がないＤＶＤ−Ｖｉｄｅｏディスクであっても、チャプタメニューにはチャプタ毎の名前が表示されており、例えば音楽のコンサート映像のＤＶＤであれば、曲名等が選択できるようになっているため、ユーザーが意図しない映像をプログラム再生してしまうといった状況は回避され、見たい映像をプログラム再生できることとなる。
【００１７】
このように、光ディスク再生装置内に膨大な記憶装置を追加する必要がなく、チャプタの内容が分かりやすい状態でプログラム選択、再生が可能となり、光ディスク再生装置におけるＤＶＤ−Ｖｉｄｅｏディスクのより使いやすいプログラム機能が可能となる。
【発明を実施するための最良の形態】
【００１８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１９】
図２は、本発明の実施形態に係る光ディスク再生装置３１の構成を示すブロック図である。図２において、２２は光ディスク２１から管理情報及びデータを読み取るためのデータ読み取り装置であり、読み込まれた管理情報が管理情報記憶装置２３に出力され、読み込まれたデータがデータ復号装置２５に出力される。
【００２０】
前記管理情報記憶装置２３に記憶された前記管理情報は、制御装置２６により読み出され、制御装置２６において管理情報が解析される。
【００２１】
前記データ復号装置２５は、データ分別機能を有しており、光ディスク２１から読み出したデータは画像データと音声データとに分別される。分別されたデータは、データ格納装置２４に出力され、それぞれ画像データ格納領域と音声データ格納領域とに格納される。
【００２２】
前記データ格納装置２４は、画像データ格納領域、音声データ格納領域の他にも、プログラム再生データ格納領域を有しており、このプログラム再生データ格納領域には、後述するプログラム機能により作成されたプログラムリストが格納されている。
【００２３】
前記制御装置２６は、解析したデータに基づいて前記データ読み取り装置２２を制御し、読み取るべきデータを指定する。さらに、制御装置２６は、前記データ格納装置２４のプログラム再生データ格納領域からプログラムリストを読み取り、このリストに基づいたデータを読み取るように制御している。
【００２４】
前記データ復号装置２５は、データ復号機能を有しており、前記データ格納装置２４の画像データ格納領域に格納された画像データを取り出して、モニタ表示するためのデータに変換すべく画像データ復号処理を行い、復号後のデータをモニタ出力する。
【００２５】
さらに、前記データ格納装置２４の音声データ格納領域に格納された音声データを取り出して、スピーカ出力するためのデータに変換すべく音声データ復号処理を行い、復号後のデータをスピーカ出力する。
【００２６】
このような画像データ及び音声データの復号処理を並列して行うことでコンテンツの再生を実現している。
【００２７】
図３は、本発明の実施形態に係るコンテンツ記録媒体制御方法を実施するために用いる光ディスク再生装置とユーザーが操作するためのリモコン装置とを示す図である。
【００２８】
前記光ディスク再生装置３１の構成は上述した通りであり、前記リモコン装置３２は、この光ディスク再生装置３１をユーザーが遠隔操作するためのものである。
【００２９】
前記リモコン装置３２は、電源ＯＮ／ＯＦＦや音量調整等のボタンの他にも、少なくとも本発明を実施するために必要となる、ＤＶＤ−Ｖｉｄｅｏディスクのメニューを表示するためのメニューキー３３と、本発明におけるプログラム機能を起動させるためのプログラムキー３４とを備えている。
【００３０】
図５は、ＤＶＤ−Ｖｉｄｅｏディスクのチャプタメニューの一例を示す図である。図５に示すように、チャプタメニューには、選択可能なチャプタのチャプタ番号及びサブピクチャがサムネイル表示されたチャプタボタン５１が表示されている。
【００３１】
また、サムネイル表示されたチャプタの下側位置には、チャプタメニューが複数ページにわたって存在している場合に、そのメニュー画面を切り換えるためのＰｒｅｖ（戻る）ボタン５２、Ｎｅｘｔ（進む）ボタン５４、及びメインメニュー等に戻るためのＥｘｉｔボタン５３が表示されている。
【００３２】
そして、図５に示すチャプタメニューが表示された状態で、ユーザーがリモコン装置３２のプログラムキー３４を押すことによりプログラム機能が起動され、図６に示すようなプログラムリストが画面に表示されるようになっている。
【００３３】
図６は、プログラム機能を実行してプログラムリストを表示した状態を示す図である。図６に示すように、プログラムリストは、チャプタメニュー上に表示されているチャプタボタン５１の一部とオーバーラップするように表示されている。このプログラムリストの表示枠は半透明に表示されており、オーバーラップしているチャプタボタン５１が識別できるようになっている。また、このプログラムリストには、再生順序を示す番号が表示されている。図６では、未だチャプタ番号がプログラム選択されていないため、リストが空白となっている。
【００３４】
図７は、チャプタメニューにおけるプログラム選択中の表示例を示す図である。図７に示すように、ユーザーは、通常のチャプタメニューを選択するときの要領で、チャプタメニュー中のチャプタボタン５１を選択することで、選択したチャプタがチャプタリストに反映されて表示されるようになっている。
【００３５】
なお、本実施形態では、選択したチャプタの表示方法として選択したチャプタ番号を表示するようにしたが、この形態に限定するものではなく、例えば、メニュー中のサブピクチャをコピーして表示するようにしても構わない。
【００３６】
次に、ディスクの挿入からメニュー再生開始までの処理手順について、図８に示すフローチャート図を用いて説明する。
【００３７】
まず、ステップＳ１０１では、ディスクを挿入して、続くステップＳ１０２に進む。ステップＳ１０２では、ディスクの管理情報を取得して、続くステップＳ１０３に進む。
【００３８】
ステップＳ１０３では、ユーザーの指示又はディスクの管理情報による再生指示があるか否かを判定する。ステップＳ１０３での判定が「ＹＥＳ」の場合には、ステップＳ１０４に分岐する。ステップＳ１０３での判定が「ＮＯ」の場合には、指示があるまで待機する。
【００３９】
ステップＳ１０４では、ユーザーの指示又はディスクの管理情報による指示の内容が、メニューの再生表示であるか否かを判定する。ステップＳ１０４での判定が「ＹＥＳ」の場合には、ステップＳ１０７に分岐する。ステップＳ１０４での判定が「ＮＯ」の場合には、ステップＳ１０５に分岐する。
【００４０】
ステップＳ１０５では、本編の再生を行い、続くステップＳ１０６に進む。ステップＳ１０６では、再生状態からユーザー又はディスクの管理情報によるメニューへの指示があるかを判定する。
【００４１】
ステップＳ１０６での判定が「ＹＥＳ」の場合には、ステップＳ１０７に分岐する。ステップＳ１０６での判定が「ＮＯ」の場合には、指示があるまで本編の再生を続ける。
【００４２】
ステップＳ１０７では、プログラム機能起動用フラグ１をセットして、続くステップＳ１０８に進む。ステップＳ１０８では、メニュー再生処理を実行する。
【００４３】
次に、メニュー再生開始からプログラム機能起動までの処理手順について、図９のフローチャート図を用いて説明する。
【００４４】
まず、ステップＳ２０１では、メニュー上のボタンコマンドを保存して、続くステップＳ２０２に進む。ステップＳ２０２では、メニュー上ボタンの解析を行い、続くステップＳ２０３に進む。
【００４５】
ステップＳ２０３では、プログラムキーの受付け有効判断として、保存したメニューの全ボタンコマンド中に、チャプタを指定したＬｉｎｋかＪｕｍｐコマンドがあるかを判定する。
【００４６】
ステップＳ２０３での判定が「ＹＥＳ」の場合には、ステップＳ２０４に分岐して、ステップＳ２０４で、プログラム機能起動用フラグ２をセットして、続くステップＳ２０５に進む。ステップＳ２０３での判定が「ＮＯ」の場合には、ステップＳ２０５に分岐する。
【００４７】
ステップＳ２０５では、メニューの再生を行い、続くステップＳ２０６に進む。ステップＳ２０６では、ユーザーからのキー入力があったかを判定する。
【００４８】
ステップＳ２０６での判定が「ＹＥＳ」の場合には、ステップＳ２０７に分岐する。ステップＳ２０６での判定が「ＮＯ」の場合には、キー入力があるまで待機する。
【００４９】
ステップＳ２０７では、入力されたキーがプログラムキーであるかを判定する。ステップＳ２０７での判定が「ＹＥＳ」の場合には、ステップＳ２０９に分岐する。ステップＳ２０７での判定が「ＮＯ」の場合には、ステップＳ２０８に分岐する。
【００５０】
ステップＳ２０８では、ディスク管理情報による処理を行い、処理を終了する。ステップＳ２０９では、入力されたプログラムキーに基づくプログラム機能処理を実行する。
【００５１】
次に、チャプタメニュー中におけるプログラム情報の選択処理手順について、図１０のフローチャート図を用いて説明する。
【００５２】
まず、ステップＳ３０１では、プログラムモード起動用フラグ１，２がセットされているかを判定する。ステップＳ３０１での判定が「ＹＥＳ」の場合には、ステップＳ３０２に分岐する。ステップＳ３０１での判定が「ＮＯ」の場合には、プログラムモードを起動せずに処理を終了する。
【００５３】
ステップＳ３０２では、メニュー上にあるボタンのナビゲーションコマンドを全て取り出し、続くステップＳ３０３に進む。
【００５４】
ステップＳ３０３では、その中にチャプタを指定したＬｉｎｋかＪｕｍｐのコマンドを持ったボタンがあるかを判定する。ステップＳ３０３での判定が「ＹＥＳ」の場合には、ステップＳ３０４に分岐する。ステップＳ３０３での判定が「ＮＯ」の場合には、プログラムモードを起動せずに処理を終了する。
【００５５】
ステップＳ３０４では、プログラムモード中の処理としてメニュー画面上のボタンが指定されたかを判定する。ステップＳ３０４での判定が「ＹＥＳ」の場合には、ステップＳ３０５に分岐する。ステップＳ３０４での判定が「ＮＯ」の場合には、ボタンが選択されるまで待機する。
【００５６】
ステップＳ３０５では、指定されたボタン情報からナビゲーションコマンドを取り出し、続くステップＳ３０６に進む。
【００５７】
ステップＳ３０６では、取り出したナビゲーションコマンドがＬｉｎｋかＪｕｍｐであるか否かを判定する。ステップＳ３０６での判定が「ＹＥＳ」の場合には、ステップＳ３０７に分岐する。ステップＳ３０６での判定が「ＮＯ」の場合には、ステップＳ３１１に分岐し、ステップＳ３１１で、コマンドの実行を行わず、そのまま処理を終了する。
【００５８】
ステップＳ３０７では、選択されたボタンのコマンドがＬｉｎｋであるか否かを判定する。ステップＳ３０７での判定が「ＹＥＳ」の場合には、ステップＳ３０８に分岐する。ステップＳ３０７での判定が「ＮＯ」の場合には、ステップＳ３１２に分岐する。
【００５９】
ステップＳ３０８では、Ｌｉｎｋコマンドに対してサブインストラクション指定であるか否かを判定する。ステップＳ３０８での判定が「ＹＥＳ」の場合には、ステップＳ３０９に分岐する。ステップＳ３０８での判定が「ＮＯ」の場合には、ステップＳ３１３に分岐する。
【００６０】
ステップＳ３０９では、Ｌｉｎｋコマンドのサブインストラクション指定がＲＳＭであるか否かを判定する。ステップＳ３０９での判定が「ＹＥＳ」の場合には、ステップＳ３１０に分岐し、ステップＳ３１０で、プログラム再生用の情報は破棄し、プログラムモードを解除して、選択されたボタンのコマンドを実行して、処理を終了する。
【００６１】
ステップＳ３１０での判定が「ＮＯ」の場合には、ボタンのナビゲーションコマンドをそのまま実行し、処理を終了する。
【００６２】
一方、ステップＳ３１２では、ＪｕｍｐコマンドのサブインストラクションがＪｕｍｐＶＴＳ＿ＰＴＴであるか否かを判定する。ステップＳ３１２での判定が「ＹＥＳ」の場合には、ステップＳ３１３に分岐し、ステップＳ３１３で、ボタンのナビゲーションコマンドに再生順番号を付加してメモリに保存し、続くステップＳ３１４に進む。ステップＳ３１４では、ハイライト、サブピクチャ色の変更処理を実行する。
【００６３】
また、ステップＳ３１２での判定が「ＮＯ」の場合には、ステップＳ３１５に分岐し、ステップＳ３１５で、ＪｕｍｐコマンドのサブインストラクションはＥｘｉｔであるか否かを判定する。
【００６４】
ステップＳ３１５での判定が「ＹＥＳ」の場合には、ステップＳ３１６に分岐し、ステップＳ３１６で、プログラム再生用の情報は破棄し、プログラムモードを解除して、選択されたボタンコマンドを実行して、処理を終了する。
【００６５】
ステップＳ３１５での判定が「ＮＯ」の場合には、ステップＳ３１７に分岐し、ステップＳ３１７で、ボタンコマンドを実行せずに処理を終了する。
【００６６】
次に、ハイライト、サブピクチャ色の変更処理手順について、図１１のフローチャート図を用いて説明する。具体的には、チャプタメニュー再生中でのプログラムモードにおいて、チャプタの選択をした場合には、通常のハイライト色、サブピクチャ背景色から色を変化させることで、プログラム選択済みであることを表示するための制御方法である。
【００６７】
まず、ステップＳ４０１では、選択されたボタンのＢＴＮ＿ＣＯＬＩＴ１〜３の中で、メニュー用の色情報として未使用のＢＴＮ＿ＣＯＬＩＴがあるか否かを判定する。
【００６８】
ステップＳ４０１での判定が「ＹＥＳ」の場合には、ステップＳ４０２に分岐する。ステップＳ４０１での判定が「ＮＯ」の場合には、ハイライト、サブピクチャの色変化の機能を行うことなく処理を終了する。
【００６９】
ステップＳ４０２では、未使用のＢＴＮ＿ＣＯＬＩＴの色情報を変化させ、色情報を変化させたＢＴＮ＿ＣＯＬＩＴを選択色として使用し、続くステップＳ４０３に進む。
【００７０】
ステップＳ４０３では、選択したボタンにはサブピクチャ情報があるかを判定する。ステップＳ４０３での判定が「ＹＥＳ」の場合には、ステップＳ４０４に分岐し、ステップＳ４０４で、サブピクチャの背景色を変更し、処理を終了する。ステップＳ４０３での判定が「ＮＯ」の場合には、サブピクチャ背景色変更を行うことなく処理を終了する。
【００７１】
図１２は、プログラムモード起動用フラグ、メニュー上ボタンコマンド情報、プログラム再生用情報を記憶するためのメモリの構成例を示す図である。
【００７２】
図１２に示すように、メモリ領域は、プログラム機能起動用フラグ領域と、メニュー上ボタンコマンド情報領域と、プログラム再生用情報領域との３つの領域に分けられている。
【００７３】
図１３は、プログラム機能起動用フラグ領域のメモリ構成を示す図であり、図１４は、プログラム再生用情報領域のメモリ構成を示す図である。図１４に示すように、プログラム再生用情報領域は、プログラムしたメニュー上ボタンの再生順番号６１と、そのボタンのナビゲーションコマンド６２とにより構成されている。
【００７４】
なお、前記メニュー上ボタンコマンド情報領域は、各ボタンのナビゲーションコマンドを保存する領域であり、メニュー上のボタン数×１つのボタンが持つナビゲーションコマンド８バイトの領域が必要となる。
【００７５】
図１５は、プログラム再生用情報記憶領域に保存された情報に基づいてチャプタの再生を開始する処理手順を示すフローチャート図である。
【００７６】
図１５に示すように、まず、ステップＳ５０１では、プログラムされたチャプタ再生情報の再生を開始すべく、メニュー再生時のプログラムモード中にユーザーからプログラム再生開始指示がされたかを判定する。
【００７７】
ステップＳ５０１での判定が「ＹＥＳ」の場合には、ステップＳ５０２に分岐する。ステップＳ５０１での判定が「ＮＯ」の場合には、プログラムモードにおけるチャプタ選択状態であると判断され、何も行うことなく処理を終了する。
【００７８】
ステップＳ５０２では、プログラム再生データ格納領域の格納情報をチェックして、プログラムされた情報を持っているかを判定する。ステップＳ５０２での判定が「ＹＥＳ」の場合には、ステップＳ５０３に分岐する。ステップＳ５０２での判定が「ＮＯ」の場合には、処理を終了する。
【００７９】
ステップＳ５０３では、プログラム再生完了番号と、プログラム再生完了時にメニューに戻るためのメニューのＴＴＮ、ＶＴＳ＿ＴＴＮ、ＴＴ＿ＰＧＣＮ、ＰＴＴＮをプログラム再生データ格納領域に保存して、続くステップＳ５０４に進む。
【００８０】
ステップＳ５０４では、プログラム再生番号１で指示されたプログラム再生用情報からコマンドを発行して再生を開始し、処理を終了する。
【００８１】
図１６は、プログラム情報の順次再生とプログラム再生終了時の処理手順を示すフローチャート図である。
【００８２】
図１６に示すように、まず、ステップＳ６０１では、プログラム再生中においてプログラム選択されたチャプタの再生完了を判断するために、プログラム再生中にＰＴＴＮの変化を検出したかを判定する。
【００８３】
ステップＳ６０１での判定が「ＹＥＳ」の場合には、ステップＳ６０２に分岐する。ステップＳ６０１での判定が「ＮＯ」の場合には、そのままチャプタ再生を継続し、処理を終了する。
【００８４】
ステップＳ６０２では、プログラム再生データ格納領域のプログラム再生リストに残りの再生用データがあるか否かを判定する。ステップＳ６０２での判定が「ＹＥＳ」の場合には、ステップＳ６０３に分岐し、ステップＳ６０３で、次の再生番号のチャプタ再生用データからコマンドを実行させてチャプタの再生を行い、処理を終了する。
【００８５】
ステップＳ６０２での判定が「ＮＯ」の場合には、ステップＳ６０４に分岐し、ステップＳ６０４で、プログラム再生完了番号で指定されたデータから元のメニューの呼び出しを行い、処理を終了する。
【産業上の利用可能性】
【００８６】
以上説明したように、本発明は、チャプタメニュー再生中にチャプタの詳しい内容を見ながらプログラム選択を行うことができるという実用性の高い効果が得られることから、きわめて有用で産業上の利用可能性は高い。特に、チャプタメニューを提供することの可能なコンテンツ再生装置に適用可能である。
【図面の簡単な説明】
【００８７】
【図１】従来の光ディスク再生装置の構成を示すブロック図である。
【図２】本発明の実施形態に係る光ディスク再生装置の構成を示すブロック図である。
【図３】本実施形態において使用する光ディスク再生装置とユーザーが操作するためのリモコン装置を示す図である。
【図４】従来のチャプタプログラムメニューの表示例を示す図である。
【図５】ＤＶＤ−Ｖｉｄｅｏディスクのチャプタメニューの一例を示す図である。
【図６】プログラムリストを表示した状態を示す図である。
【図７】チャプタメニューにおけるプログラム選択中の表示例を示す図である。
【図８】ディスク挿入からメニュー再生開始までの処理手順を示すフローチャート図である。
【図９】メニュー再生開始からプログラム機能起動までの処理手順を示すフローチャート図である。
【図１０】チャプタメニュー中におけるプログラム情報の選択処理手順を示すフローチャート図である。
【図１１】ハイライト、サブピクチャ色の変更処理手順を示すフローチャート図である。
【図１２】プログラム機能に必要なメモリの構成例を示す図である。
【図１３】プログラム情報起動用情報の記憶領域におけるデータ構成図である。
【図１４】プログラム再生用情報の記憶領域におけるデータ構成図である。
【図１５】チャプタメニューからのプログラム再生を開始する処理手順を示すフローチャート図である。
【図１６】プログラム再生の継続／終了時の処理手順を示すフローチャート図である。
【符号の説明】
【００８８】
２１    光ディスク
２２    データ読み取り装置
２３    管理情報記憶装置
２４    データ格納装置
２５    データ復号装置
２６    制御装置
３１    光ディスク再生装置
３２    リモコン装置
３３    メニューボタン
３４    プログラムボタン
５１    チャプタボタン
５２    Ｐｒｅｖボタン
５３    Ｅｘｉｔボタン
５４    Ｎｅｘｔボタン
【図１】
2007109308.tif 000003
【図２】
2007109308.tif 000004
【図３】
2007109308.tif 000005
【図４】
2007109308.tif 000006
【図５】
2007109308.tif 000007
【図６】
2007109308.tif 000008
【図７】
2007109308.tif 000009
【図８】
2007109308.tif 000010
【図９】
2007109308.tif 000011
【図１０】
2007109308.tif 000012
【図１１】
2007109308.tif 000013
【図１２】
2007109308.tif 000014
【図１３】
2007109308.tif 000015
【図１４】
2007109308.tif 000016
【図１５】
2007109308.tif 000017
【図１６】
2007109308.tif 000018